(57)【特許請求の範囲】
【請求項１】
切替機構付シャワヘッドを保持する横断面円形のホルダが連設される一方、給湯管および給水管にそれぞれ連通する給湯流路および給水流路と前記シャワヘッドのホース内の導入流路に連通する湯水混合水の吐出流路を内蔵する円筒形状の胴部と、弁本体を横向き状態で内蔵し、かつ、前記胴部の周壁に横方向に固定される筒体と、前記弁本体に連結され、上下・左右方向に傾動操作される弁操作用のレバー体と、前記筒体の略全体を覆いながら、かつ、前記レバー体に隣接した状態で、前記周壁に横方向に固定される円筒形状のカバー体とを備え、更に、前記シャワヘッドは、ほぼ円筒形状で、その周壁に切欠部を有するシャワヘッド本体と、中央穴および散水口を有し、前記切欠部に着脱自在に装着されるシャワ板と、前記ホース内の前記導入流路に連通する連通穴を有し、前記シャワヘッド本体の上流端に設けたディスク部材と、整流吐水のための流路を内部に有し、前記シャワヘッド本体の上流端から前記シャワヘッド本体の軸心方向のまわりに回動可能なように前記シャワヘッド本体内に嵌め込まれ、整流吐水流路に前記連通穴が連通している整流吐水状態から所定角度回動したとき前記連通穴を介して前記導入流路に連通するシャワ吐水のための環状流路を前記シャワヘッド本体の内周面とで形成するよう整流吐水とシャワ吐水とに切替可能に構成された切替軸部と、この切替軸部が回動可能に挿通される挿通穴およびこの挿通穴の途中から分岐する分岐穴を有し、前記シャワヘッド本体内に位置決めされる整流器本体と、前記切替軸部の下流端に係合する係合軸部を有し、前記シャワヘッド本体の下流端に設けた切替部材とを備えたことを特徴とする切替機構付シャワヘッドを備えたスプレー混合栓。
【請求項２】
前記円筒形状の胴部、円筒形状のカバー体、横断面円形のホルダおよびレバー体は、それぞれ樹脂製で、かつ、メッキ処理が外周面に施されている一方、前記ほぼ円筒形状のシャワヘッド本体は樹脂製である請求項１に記載の切替機構付シャワヘッドを備えたスプレー混合栓。
【請求項３】
前記レバー体のカバー体隣接部分が前記カバー体と同径の円筒形状に形成されている請求項１または請求項２に記載の切替機構付シャワヘッドを備えたスプレー混合栓。
【請求項４】
前記シャワヘッドは、使用中に手元で止水・吐水可能な止水・吐水機構を有する請求項１ないし請求項３のいずれかに記載の切替機構付シャワヘッドを備えたスプレー混合栓。
【発明の詳細な説明】
【０００１】
【発明の属する技術分野】
この発明は、切替機構付シャワヘッドを備えたスプレー混合栓に関する。
【０００２】
【従来の技術】
例えば流し台に設置されるワンホールスプレー混合栓Ｓとして、図１０に示すように、混合栓本体９０のホルダ９１から湯水混合水供給用の可撓管（ホース）９２を引き出すタイプのシャワヘッド９３を備え、このシャワヘッド９３に設けたボタン９４操作により整流吐水とシャワ吐水との切替えができるものがある。
【０００３】
一方、本出願人は、図１１に示すように、円柱形状の胴部９５、円筒形状のカバー体９６および操作レバー９７を備えた円筒形状の操作体９８よりなる混合栓本体と、胴部９５の上端部に連設された横断面円形の吐水管９９とを有し、円柱をモチーフにしたシャープな外観形状を持つシングルレバー式の混合栓Ｔを提案している（特願２０００−２６６１１６号明細書・図面参照）。
【０００４】
【発明が解決しようとする課題】
ところで、前記吐水管９９に代えて図１１の前記混合栓本体に図１０の前記可撓管（ホース）９２引き出しタイプのシャワヘッド９３を組付けてスプレー混合栓とした場合、シャープな外観形状の図１１の前記混合栓本体と湾曲形状が目立つ図１０の前記シャワヘッド９３の組み合わせはデザイン的にマッチしなかった。
【０００５】
この発明は上述の事柄に留意してなされたもので、その目的は、円柱をモチーフにしたシャープな外観形状を持つ、切替機構付シャワヘッドを備えたスプレー混合栓を提供することである。
【０００６】
【０００７】
【課題を解決するための手段】
上記目的を達成するために、この発明は、切替機構付シャワヘッドを保持する横断面円形のホルダが連設される一方、給湯管および給水管にそれぞれ連通する給湯流路および給水流路と前記シャワヘッドのホース内の導入流路に連通する湯水混合水の吐出流路を内蔵する円筒形状の胴部と、弁本体を横向き状態で内蔵し、かつ、前記胴部の周壁に横方向に固定される筒体と、前記弁本体に連結され、上下・左右方向に傾動操作される弁操作用のレバー体と、前記筒体の略全体を覆いながら、かつ、前記レバー体に隣接した状態で、前記周壁に横方向に固定される円筒形状のカバー体とを備え、更に、前記シャワヘッドは、ほぼ円筒形状で、その周壁に切欠部を有するシャワヘッド本体と、中央穴および散水口を有し、前記切欠部に着脱自在に装着されるシャワ板と、前記ホース内の前記導入流路に連通する連通穴を有し、前記シャワヘッド本体の上流端に設けたディスク部材と、整流吐水のための流路を内部に有し、前記シャワヘッド本体の上流端から前記シャワヘッド本体の軸心方向のまわりに回動可能なように前記シャワヘッド本体内に嵌め込まれ、整流吐水流路に前記連通穴が連通している整流吐水状態から所定角度回動したとき前記連通穴を介して前記導入流路に連通するシャワ吐水のための環状流路を前記シャワヘッド本体の内周面とで形成するよう整流吐水とシャワ吐水とに切替可能に構成された切替軸部と、この切替軸部が回動可能に挿通される挿通穴およびこの挿通穴の途中から分岐する分岐穴を有し、前記シャワヘッド本体内に位置決めされる整流器本体と、前記切替軸部の下流端に係合する係合軸部を有し、前記シャワヘッド本体の下流端に設けた切替部材とを備えている。
【０００８】
【発明の実施の形態】
以下、この発明の実施の形態について説明する。
【０００９】
図１〜図８は、湯水混合水供給用の円筒形状のシャワヘッド本体が、円筒形状の胴部の上端部に連設された横断面円形のホルダに保持された状態と、ホースを介して前記ホルダから引き出された状態とに切換え可能に構成されているこの発明の第１の実施形態を示す。
【００１０】
まず、図１〜図３において、１は、ワンホールスプレー混合栓で、後述するホース引き出しタイプの切替機構付シャワヘッド２と、混合栓本体３とよりなり、台所の流し台や洗面ボール、バスタブ等の水栓取付板部４に開設された貫通孔５を介して水栓取付板部４に取付足６を介して取付けられている。
【００１１】
７は、樹脂成形された円筒形状の胴部で、給水用接続管８を介して上流の給水管（図示せず）に連通する例えばＬ型の給水流路ｉを形成する給水穴９と、給湯用接続管１０を介して給湯管（図示せず）に連通する例えばＬ型の給湯流路ｊを形成する給湯穴１１とを有するとともに、湯水混合水の吐出流路ｈを形成する吐出用穴１２を有し、更に、正面視小判型の凹所１３を周壁ｍに有する。前記胴部７は、周壁ｍの外周面ｍ1 にメッキ処理が施されている。例えばクロムメッキ処理が周壁ｍの外周面ｍ1 に施されており光沢がよく、見栄えがする。
【００１２】
また、例えば前記給水用接続管８は、胴部７の底面７ａに形成された給水開口から給水穴９に嵌め込まれた接続管８ａと、下流端が前記接続管８ａに継手８ｃを介して接続され、上流端が抜け止め用のクリップ１４を介して逆止弁８ｄに接続される可撓管８ｂよりなる。前記逆止弁８ｄは、前記給水管に連通する止水栓に接続されている。
【００１３】
また、前記シャワヘッド２のヘッド本体４１は、湯水混合水供給用の可撓管（ホース）１６および接続管１７ａ，１７ｂを介して前記吐出流路ｈに連通している。すなわち、可撓管（ホース）１６内には導入流路ｑが形成されており、上流側の前記吐出流路ｈは下流側の前記導入流路ｑに連通する。つまり、胴部７は、上下に貫通する貫通穴１５を有し、この貫通穴１５によって可撓管挿通空間を構成する可撓管挿通室Ｒが形成されている。そして、前記シャワヘッド２のヘッド本体（以下、シャワヘッド本体という）４１は、可撓管１６を介して前記吐出流路ｈに連通しており、可撓管１６は、その上流端１６ｂが接続管１７ｂに接続された状態で一旦垂れ下がり、更に、上方に向かい、胴部７の底面７ａに形成された吐出開口を通って可撓管挿通室Ｒに至り、胴部７の上端部１９に連設されたホルダ２２内を通ってシャワヘッド本体４１に接続されている。なお、１４’は、接続管１７ｂと逆止弁８ｄ’の抜けを防止する抜け止め用のクリップである。また、接続管１７ａ，１７ｂは、継手１７ｃを介して接続されている。
【００１４】
なお、可撓管１６には、その一定位置にストッパ２３が固着されており、このストッパ２３の重みによって、ホルダ２２から引き出された可撓管１６を引き込んでシャワヘッド２をホルダ２２に保持できる。
【００１５】
２４は、胴部７よりは遙に薄い樹脂製のカバー体である。このカバー体２４は、円筒形状をなし、外周面ｆにメッキ処理が施されている。例えばクロムメッキ処理が外周面ｆに施されており光沢がよく、見栄えがする。
【００１６】
カバー体２４は、後述するシート部２５と、セラミックディスクを有する弁本体２７とを内蔵した筒体２９（後述する）を覆う。前記カバー体２４は、前記筒体２９の大径部の外径に略等しい内径を有し、前記凹所１３のまわりの前記周壁ｍに横方向にロー付け、あるいは、溶接により固定されている。この場合、カバー体２４の外周面ｆと胴部７の周壁面ｍの外周面ｍ1 は直交しており、シャープなシルエットを醸しだす。
【００１７】
一方、前記シャワヘッド本体４１を保持する前記ホルダ２２は、胴部７の上端部３０に連設されている。前記ホルダ２２は、カバー体２４と同様、薄く樹脂成形されており、横断面円形で、Ｌ字型をなす。前記ホルダ２２は、外周面ｇにメッキ処理が施されている。例えばクロムメッキ処理が外周面ｇに施されており光沢がよく、見栄えがする。
【００１８】
３１は、前記弁本体２７の栓棒で、回転軸３２のまわりに回動する。
【００１９】
前記シート部２５は、ディスク状で、弁本体２７に設けた水用弁孔、湯用弁孔および湯水混合水用弁孔とそれぞれ対応する水導入孔３３、湯導入孔および湯水混合水導出孔３４が開設されており、その各孔にそれぞれ嵌装される三つの弾性部材よりなるシール用パッキンを有する。
【００２０】
そして、シート部２５は、前記給水流路ｉおよび弁本体２７内に形成された水導入流路を連通させ、前記給湯流路ｊおよび弁本体２７内に形成された湯導入流路を連通させ、また、前記吐出流路ｈおよび弁本体２７内に形成された湯水混合水導出流路を連通させる。
【００２１】
３５は、樹脂製のレバー体で、ピン３６により前記栓棒３１に係止されており、上下・左右方向の回動操作によって傾動操作される。
【００２２】
前記筒体２９は、前記弁本体２７が内蔵された状態で前記シート部２５に外嵌しており、シート部２５とはねじ止めにより連結される。
【００２３】
そして、シート部２５を凹所１３の底面にねじ止めし、続いて、弁本体２７を内蔵した筒体２９をシート部２５にねじ止めして横方向に前記弁本体２７を取付けた状態では、前記筒体２９の小径部がカバー体２４に覆われることなくカバー体２４の外側開口よりも横方向外側に突出する。
【００２４】
前記レバー体３５は、平面視細長の矩形をした平板状のレバー部分５６を有する。また、レバー体３５は、前記筒体２９における前記カバー体２４で覆いきれなかった部分を覆う有底筒状の被覆部分（レバー体３５のカバー体隣接部分）５５を有する。この被覆部分５５は、前記カバー体２４と同径である。前記レバー体３５を構成する前記レバー部分５６および被覆部分５５も、外周面ｗにメッキ処理が施されている。例えばクロムメッキ処理が外周面ｗに施されており光沢がよく、見栄えがする。しかも、レバー部分５６と被覆部分５５は直交している。すなわち、レバー体３５は、レバー部分５６から垂直に折れ曲がり被覆部分５５に至るシャープな折れ曲がり形状を有する。
なお、胴部７、カバー体２４、レバー体３５およびホルダ２２から混合栓本体が構成され、これにより、円柱をモチーフにしたシャープな外観形状を持つ上に、外周面にメッキ加工が施されているので高級感を醸しだす（湯水）混合栓本体が得られる。
【００２５】
一方、図４は、前記シャワヘッド２の各構成部材を示し、図５は、前記シャワヘッド２の全体構成を示す。
【００２６】
図４、図５において、前記シャワヘッド２は、樹脂製である。すなわち、前記シャワヘッド２は、ほぼ円筒形状で、その周壁（側面）Ｍに切欠部４０を有する樹脂製の前記シャワヘッド本体４１と、中央穴（整流吐水口）４２および中央穴４２を除くほぼ前面に多数の散水口（シャワ吐水口）４３を有し、前記切欠部４０に着脱自在に装着される樹脂製のシャワ板４４と、前記シャワヘッド本体４１の上流端に設けられ、前記湯水混合水供給用の可撓管（ホース）１６内の前記導入流路ｑに連通する上下一対の連通穴４５，４５を有する樹脂製のディスク部材４６と、整流吐水のための流路Ｘ1 を内部に有する一方、シャワ吐水のための環状流路Ｘ2 を前記シャワヘッド本体４１の内周面４１ａとで形成する樹脂製の切替軸部４７と、この切替軸部４７が回動可能に挿通される挿通穴４８およびこの挿通穴４８の途中から下向きに分岐する分岐穴４９を有し、前記シャワヘッド本体４１内に位置決めされる樹脂製の整流器本体５０と、前記切替軸部４７の下流端に係合する係合軸５１を有し、前記シャワヘッド本体４１の下流端に設けた樹脂製の切替部材５２と、整流器本体５０の分岐穴４９の外周に形成された雄ねじ８９ａに螺合する雌ねじ８９ｂを有する円筒形状のキャップ８９を主として備えている。
【００２７】
而して、胴部７、カバー体２４、ホルダ２２、レバー体３５の被覆部分（レバー体３５のカバー体隣接部分）５５およびシャワヘッド２を樹脂製にしたので、鋳造金型を用いて胴部を作成する従来の場合に比してコスト安で、かつ、給水流路ｉ、給湯流路ｊ、吐出流路ｈをシンプルにできる上、これら流路ｉ，ｊ，ｈ、凹所１３を樹脂成形加工するだけの容易な作業で形成できる。また、例えばステンレス製の棒材を用いて胴部を成形する場合に比してもコスト安にできる。
【００２８】
更に、目に見える、胴部７、カバー体２４およびレバー体３５の被覆部分（レバー体３５のカバー体隣接部分）５５の外観形状を円筒形状とし、胴部７の上端部３０に連設してあるホルダ２２を横断面円形にするとともに、カバー体２４の外周面ｆと胴部７の周壁面ｍの外周面ｍ1 を直交させてシャープな折れ曲がり形状を構成し、更に、レバー体３５のレバー部分５６と被覆部分５５も直交させてシャープな折れ曲がり形状を有するレバー体３５を構成し、その上、シャワヘッド本体４１の外観形状もほぼ円筒形状にしたので、円柱をモチーフにしたシャープな外観形状を持つワンホールスプレー混合栓１を提供できる。
【００２９】
すなわち、外観形状がシャープな円筒形状を持つ前記混合栓本体と外観形状がほぼ円筒形状のシャワヘッド２の組み合わせはデザイン的にマッチする。
【００３０】
以下、シャワヘッド２について詳述する。
【００３１】
図４〜図８において、前記ディスク部材４６は、外周に、一対の係止用大突起４６ａ，４６ａおよび一対の係止用小突起４６ｂ，４６ｂを有する。大突起４６ａ，４６ａ同士は円周角で１８０°離れた位置にある。小突起４６ｂ，４６ｂ同士も円周角で１８０°離れた位置にある。一方、シャワヘッド本体４１は、内周面４１ａに、係止用小突起４６ｂ，４６ｂがそれぞれはまり込む溝４１ｂ，４１ｂおよび大突起４６ａ，４６ａがそれぞれはまり込む溝４１ｃ，４１ｃを有する。これにより、ディスク部材４６は、連通穴４５，４５が上下に位置するようシャワヘッド本体４１内に位置決め固定される。
【００３２】
前記切替軸部４７は、シャワヘッド本体４１の上流端からシャワヘッド本体４１の軸心方向（Ｙ方向）のまわりに回動可能なようにシャワヘッド本体４１内に嵌め込まれている。前記切替軸部４７は、中央に一対の切欠５６，５６を有する。また、前記切替軸部４７は、整流吐水流路Ｘ1 の入口に一対の導入穴５３，５３を有し、導入穴５３，５３に前記連通穴４５，４５が連通している整流吐水状態（図５参照）から９０°角度回動したとき前記連通穴４５，４５を介して前記導入流路に連通するシャワ吐水のための前記環状流路Ｘ2 を形成するシャワ吐水状態（図７参照）に切替可能に構成されている。
【００３３】
前記整流器本体５０は、上面の前後位置に、位置決め用の上向き突出片５０ａ，５０ｂを有する。例えば、上向き突出片５０ａは、シャワヘッド本体４１の内周面４１ａの上面で、Ｙ方向に沿う方向に形成された中央リブ５５の左右に形成された両側リブ５６，５６にガイドされながら中央リブ５５に当接し（図６参照）、これにより、位置決めされる。
【００３４】
前記切替部材５２は、平面視円形の皿状で、整流吐水状態とシャワ吐水状態に切替軸部４７を切替えるための操作つまみ５６を有する。
【００３５】
６０は、シャワヘッド本体４１の下流面部に形成されたガイド溝６１にはめ込まれる板ばねである。この板ばね６０は、正面視山型で、中央に突起部６０ａを有する一方、切替部材５２は、内周面に、整流吐水状態とシャワ吐水状態に切替部材５２を設定するための二つの位置決め用の溝６３ａ，６３ｂを有する。前記溝６３ａ，６３ｂは、円周角で９０°離れている。例えば整流吐水状態では、突起部６０ａは溝６３ａにはまり込み、整流吐水状態から９０°角度回動したとき突起部６０ｂは溝６３ａにはまり込みシャワ吐水状態となる。
【００３６】
８５は、ばね等の弾性体８６を介してシャワヘッド本体４１の上流開口８７側からシャワヘッド本体４１内にはめ込まれた可撓管取付け部材である。
【００３７】
図９は、シャワヘッドを使用しているときに手元で止水・吐水できるように構成したこの発明の第２の実施形態を示す。なお、図９において、図１〜図８に示した符号と同一のものは、同一または相当物である。
【００３８】
この実施形態で示す可撓管（ホース）引き出しタイプの切替機構付シャワヘッド２’と上記第１の実施形態で示した可撓管（ホース）１６引き出しタイプの切替機構付シャワヘッド２との相違点は、この実施形態のシャワヘッド２’が手元で止水・吐水操作できる簡易な止水・吐水機構を有する点である。
【００３９】
すなわち、図９において、ほぼ円筒形状のシャワヘッド本体４１は、止水・吐水操作可能な弁機構７０を備えている。この弁機構７０は、レバー体３５を開状態にして可撓管（ホース）１６内に水または湯水混合水を供給しているときに使用者は手元のボタンを押圧操作するだけでシャワ板４４からの整流吐水あるいはシャワ吐水を、レバー体３５をわざわざ閉操作することなく止水するためのものであって、例えば皿等の食器の汚れを流し取る際に使用する水または湯水混合水を効率よく節水できる。
【００４０】
前記弁機構７０は、前記切替部材５２の前面Ｌに連設された、ばね等の弾性体７５を収容する収容部７６と、前記ディスク部材４６、切替軸部４７、切替部材５２および収容部７６の中央を貫通して軸心方向（Ｙ方向）に移動可能に挿通設置された弁棒７１と、前記可撓管取付け部材８５に形成された導入流路ｑの出口部（シート部）７２を閉塞するよう弁棒７１の上流端に設けた弁体７３と、弁棒７１の下流端に設けた操作ボタン７４とよりなる。前記弾性体７５は弁棒７１にはめ込まれており、この弾性体７５によって、弁棒７１は弁体７３がシート部７２から常時離間するよう付勢される。よって、使用者は、食器の汚れを流し取っている最中に操作ボタン７４を押圧するだけの容易な操作で整流吐水あるいはシャワ吐水を止水でき、節水に寄与できる。
【００４１】
【発明の効果】
この発明では、給湯管に連通する給湯流路、給水管に連通する給水流路および湯水混合水の吐出流路を内蔵した円筒形状の胴部と、弁機構を内蔵し、一端が前記胴部に固着され、他端が弁操作用のレバー体に隣接している円筒形状のカバー体と、前記胴部の上端部に連設された横断面円形のホルダと、側面に整流吐水口およびシャワ吐水口を有するとともに、前記吐出流路に連通する流路を有し、整流吐水とシャワ吐水との切替機構を備えているほぼ円筒形状のシャワヘッド本体とを備えているので、円柱をモチーフにしたシャープな外観形状を持つ、切替機構付シャワヘッドを備えたスプレー混合栓を提供できる。
【図面の簡単な説明】
【図１】  この発明の第１の実施形態を示す全体斜視図である。
【図２】  （Ａ）は、上記実施形態で用いた胴部を示す構成説明図である。
（Ｂ）は、上記実施形態で用いた胴部とカバー体とシャワヘッドの位置関係を示す構成説明図である。
【図３】  （Ａ）は、上記実施形態で用いたレバー体の動作を示す構成説明図である。
（Ｂ）は、上記実施形態で用いた胴部に形成される複数の流路およびホース貫通穴の位置関係を示す構成説明図である。
【図４】  上記実施形態における切替機構付シャワヘッドの分解斜視図である。
【図５】  上記実施形態における切替機構付シャワヘッドを示す構成説明図である。
【図６】  上記実施形態における切替機構付シャワヘッドの部材間の取り付け状態を説明するための図である。
【図７】  上記実施形態における切替機構付シャワヘッドの部材間の取り付け状態および動作を説明するための図である。
【図８】  上記実施形態における切替機構付シャワヘッドの要部構成説明図である。
【図９】  この発明の第２の実施形態で用いた切替機構付シャワヘッドを示す構成説明図である。
【図１０】  従来のワンホールスプレー混合栓の一例を示す全体斜視図である。
【図１１】  シャープな外観形状を持つシングルレバー式の混合栓を示す要部斜視図である。
【符号の説明】
１…ワンホールスプレー混合栓、２…切替機構付シャワヘッド、３…混合栓本体、７…円筒形状の胴部、１６…可撓管（ホース）、２４…円筒形状のカバー体、２２…横断面円形のホルダ、３５…レバー体、４１…シャワヘッド本体、４２…整流吐水口、４３…シャワ吐水口、ｉ…給水流路、ｊ…給湯流路、ｈ…吐出流路、ｑ…吐出流路に連通する流路。
【図１】
0003947364.tif 000002
【図２】
0003947364.tif 000003
【図３】
0003947364.tif 000004
【図４】
0003947364.tif 000005
【図５】
0003947364.tif 000006
【図６】
0003947364.tif 000007
【図７】
0003947364.tif 000008
【図８】
0003947364.tif 000009
【図９】
0003947364.tif 000010
【図１０】
0003947364.tif 000011
【図１１】
0003947364.tif 000012